(57)【要約】【課題】複数の放射線発生装置を備える場合に、撮影に用いる放射線発生装置の選択・設定を簡易かつ迅速に行うことのできる放射線画像撮影システムを提供する。【解決手段】複数の放射線発生装置４と、放射線発生装置４を制御する操作卓７と、複数の放射線発生装置４のうち撮影に使用するものを指定する指定指示スイッチ２４ｄを備えるＦＰＤカセッテ２と、ＦＰＤカセッテ２の指定指示スイッチ２４ｄにより指定された放射線発生装置４を操作卓７に通知する指定受付手段４１と、を備え、操作卓７は、指定指示スイッチ２４ｄにより指定された放射線発生装置４を、撮影に使用するものとして制御する。【選択図】図１
2011206068.tif 000002
【特許請求の範囲】
【請求項１】
複数の放射線発生装置と、
前記放射線発生装置を制御する発生装置制御手段と、
前記複数の放射線発生装置のうち撮影に使用するものを指定する指定手段を備える放射線画像検出器と、
前記放射線画像検出器の指定手段により指定された前記放射線発生装置を前記発生装置制御手段に通知する指定通知手段と、を備え、
前記発生装置制御手段は、前記指定手段により指定された前記放射線発生装置を、撮影に使用するものとして制御することを特徴とする放射線画像撮影システム。
【請求項２】
前記指定手段は、前記放射線発生装置に対して指定信号を送信する無線通信手段であり、
前記指定通知手段は、前記放射線発生装置に設けられ、前記指定手段から前記指定信号を受信したときにその旨を前記発生装置制御手段に通知するものであり、
前記発生装置制御手段は、前記通知の送信元の前記放射線発生装置を、撮影に使用するものとして制御することを特徴とする請求項１に記載の放射線画像撮影システム。
【請求項３】
前記複数の放射線発生装置のうちのいずれか１つと対応付けられ、前記放射線画像検出器を装填可能な少なくとも１つのブッキー装置をさらに備え、
前記指定手段は、前記放射線画像検出器が前記いずれかのブッキー装置に装填されることにより、当該ブッキー装置と当該ブッキー装置に対応付けられた前記放射線発生装置とを撮影に用いるとの指定信号を当該ブッキー装置に対して送信する通信手段であり、
前記指定通知手段は、前記ブッキー装置に設けられ、前記指定手段から前記指定信号を受信したときにその旨を前記発生装置制御手段に通知するものであって、
前記発生装置制御手段は、前記通知の送信元の前記ブッキー装置に対応付けられた前記放射線発生装置を、撮影に使用するものとして制御することを特徴とする請求項１に記載の放射線画像撮影システム。
【請求項４】
前記指定手段によって、いずれかの前記放射線発生装置が撮影に使用するものとして指定されたときは、当該撮影の中止、終了又は前記指定の解除が行われるまでは、当該指定された放射線発生装置に対する他の前記放射線画像検出器の指定手段による指定の受付を禁止する指定排除手段を備えていることを特徴とする請求項１から請求項３のいずれか一項に記載の放射線画像撮影システム。
【発明の詳細な説明】
【技術分野】
【０００１】
本発明は、放射線画像撮影システムに関するものである。
【背景技術】
【０００２】
従来、病気診断等を目的として、Ｘ線画像に代表される、放射線を用いて撮影された放射線画像が広く用いられている。
こうした医療用の放射線画像は、従来スクリーンフィルムを用いて撮影されていたが、近年は、放射線画像のデジタル化が実現されており、例えば、被写体を透過した放射線を輝尽性蛍光体層が形成された輝尽性蛍光体シートに蓄積させた後、この輝尽性蛍光体シートをレーザ光で走査し、これにより輝尽性蛍光体シートから発光される輝尽光を光電変換して画像データを得るＣＲ（Computed Radiography）装置が広く普及している。
【０００３】
また最近では、ＣＲ装置に代えて、照射された放射線を検出しデジタル画像データとして取得する検出器として放射線固体撮像素子（ＦＰＤ：Flat Panel Detector）を用いる放射線画像生成システムが登場しており、ＣＲ装置のカセッテ同様に可搬型に構成されたカセッテ型の放射線画像検出器も用いられるようになっている。
可搬型の放射線画像検出器の場合、撮影台（ブッキー装置）に装填して使用することも、単体で使用することも可能であり、その使用態様に自由度があるとのメリットがある。
【０００４】
こうした可搬型の放射線画像検出器を用いたシステムにおいては、撮影において、放射線照射タイミングや画像信号の読み取りタイミング等を制御するため、放射線発生装置を備えた撮影台と、これに装填される放射線画像検出器との間で無線通信を行って装置相互の連携を図ることができるようにすることが提案されている（例えば、特許文献１参照）。
また、システムを構成する装置相互間の同期を取るため、放射線発生装置と、これを制御する操作卓との間で無線通信を行うシステム（例えば、特許文献２参照）や、放射線発生装置及び撮影装置（放射線画像検出器）に識別情報を付与して、この識別情報に基づいて放射線発生装置と放射線画像検出器とを確実に対応付け、動作制御の確実性を図ろうとするシステムも提案されている（例えば、特許文献３参照）。
【０００５】
ところで、放射線画像撮影を行う撮影室には、可搬型の放射線画像検出器を装填可能なブッキー装置として、立位撮影用のもの、臥位撮影用のもの等、複数配置されている場合がある。また、この場合、ブッキー装置に対応して、被写体に放射線を照射する放射線発生装置も複数設けられている場合がある。
【０００６】
このようなシステムでは、従来、システムを管理するコンソールにおいて、予め撮影オーダ情報等に基づき、デフォルト或いは操作者（技師等）の入力操作により撮影に使用するブッキー装置や放射線発生装置を選択・設定し、この設定に基づいて放射線発生装置を起動させたり、適宜位置を移動させる等の撮影準備を行うようになっていた。
【特許文献１】特開２００６−２６３１７９号公報
【特許文献２】米国特許第５０８１５４３号明細書
【特許文献３】特開２００４−１４１４７３号公報
【発明の開示】
【発明が解決しようとする課題】
【０００７】
しかしながら、このようにブッキー装置や放射線発生装置が複数設けられた撮影室内、または同様の装備を有する複数の撮影室間において、可搬型の放射線画像検出器を用いて撮影を行う場合、撮影室外にある各撮影室専用の、或いは撮影室間で共用されるコンソールにおいて事前に選択・設定されたブッキー装置や放射線発生装置が、実際に撮影室に行って撮影準備に入ろうとした段階で撮影に適合しないことが判明する場合がある。
すなわち、例えば、ブッキー装置や放射線発生装置が故障している場合や、当初は立位で撮影するつもりで選択・設定を行ったが、実際に患者をポジショニングしようとした段階で立位の状態では患者の姿勢が安定せず、臥位での撮影に変更したい場合等が想定される。
【０００８】
この点、前述の特許文献１から特許文献３に記載の技術では、撮影室内の各装置間において連携をとることは可能であるが、撮影に用いるブッキー装置や放射線発生装置の選択・設定自体を撮影室内で変更することは想定されていない。
このため、従来は、一旦コンソールから選択・設定されたブッキー装置や放射線発生装置を変更したい場合には、操作者（技師等）が一旦撮影室を出てコンソールに戻り、撮影に用いるブッキー装置や放射線発生装置の選択・設定を改めてやり直す必要があり、操作者が撮影室とコンソールとを往復する手間や時間を要するため、迅速な画像撮影、早期診断という観点から好ましいものではなかった。
【０００９】
特に、現在、放射線画像撮影のシステムにおいては、スクリーン／フィルム用のカセッテにおけるＪＩＳ規格サイズに従って作られたブッキー装置が普及しており、このようなブッキー装置に収納可能なサイズの放射線画像検出器を用いて撮影を行う場合には、撮影において選択できるブッキー装置及び放射線発生装置の数も多い。このため、このようなＪＩＳ規格サイズに従った放射線画像検出器を用いる場合には、事前に選択・設定したブッキー装置や放射線発生装置と実際に撮影を行う際に操作者が使用したいと思うものとの間にずれが生じる事態が多く想定される。
このため、操作者が実際の撮影時の状況に応じて、撮影に使用する装置を臨機応変に選択・設定することのできるシステムが望まれる。
【００１０】
本発明は以上のような事情に鑑みてなされたものであり、複数の放射線発生装置を備える場合に、撮影に用いる放射線発生装置の選択・設定を簡易かつ迅速に行うことのできる放射線画像撮影システムを提供することを目的とする。
【課題を解決するための手段】
【００１１】
上記課題を解決するため、本発明は、
複数の放射線発生装置と、
前記放射線発生装置を制御する発生装置制御手段と、
前記複数の放射線発生装置のうち撮影に使用するものを指定する指定手段を備える放射線画像検出器と、
前記放射線画像検出器の指定手段により指定された前記放射線発生装置を前記発生装置制御手段に通知する指定通知手段と、を備え、
前記発生装置制御手段は、前記指定手段により指定された前記放射線発生装置を、撮影に使用するものとして制御することを特徴としている。
【発明の効果】
【００１２】
本発明によれば、撮影に使用する放射線発生装置を放射線画像検出器により指定することができる。このため、例えば撮影に使用する予定であった放射線発生装置が故障等により使用できない場合でも、撮影室内で、或いは撮影室を移動して、放射線発生装置の選択・設定を、コンソールでの再操作無しに簡易にやり直すことができ、作業の効率を向上させることができるとの効果を奏する。
また、放射線発生装置の指定を放射線画像検出器によって行うことができるため、撮影を行う撮影室を移動した場合でも、簡易に放射線発生装置の選択・設定を簡易にやり直すことができる。
【００１３】
また、放射線画像検出器によって、一旦放射線発生装置が指定されると、指定の解除等が行われるまでは、他の放射線画像検出器による指定を行うことが禁止されるとの構成とした場合には、重複登録を防止することができるので、誤った放射線画像検出器による誤撮影が行われるのを防止することができる。
【発明を実施するための最良の形態】
【００１４】
以下、図面を参照して、本発明に係る放射線画像撮影システムの好適な実施形態について説明する。ただし、本発明を適用可能な実施形態は図示例のものに限定されるものではない。
【００１５】
［第１の実施形態］
先ず、図１から図５を参照しながら、本発明に係る放射線画像撮影システムの第１の実施形態について説明する。
【００１６】
本実施形態に係る放射線画像撮影システム１００は、病院や医院内で行われる放射線画像撮影を想定したシステムであり、システム内には、図１に示すように、２つの撮影室Ｒ１（Ｒ１ａ，Ｒ１ｂ）が配置されている。各撮影室Ｒ１には、それぞれコンソール１（１ａ，１ｂ）が対応して配置されている。
なお、図１では、撮影室がＲ１ａ，Ｒ１ｂの２室設けられ、これに対応して２機のコンソール１ａ，１ｂが設けられている場合が示されているが、撮影室Ｒ１及びコンソール１の数はこれに限定されない。例えば、コンソール１は各撮影室Ｒ１に対応して設けられていなくてもよく、複数の撮影室Ｒ１に対して１台のコンソール１が対応付けられていてもよい。
【００１７】
撮影室Ｒ１内には、ＦＰＤカセッテ２を装填・保持可能なカセッテ保持部３１を備えるブッキー装置３、被写体（患者Ｍの撮影対象部位）に放射線を照射するＸ線管球等の放射線源を備える放射線発生装置４が設けられている。また、撮影室Ｒ１内にはＦＰＤカセッテ２が配置されている。なお、本実施形態では、撮影室Ｒ１ａ，Ｒ１ｂにそれぞれ３つのＦＰＤカセッテ２が配置されている例を示しているが、撮影室Ｒ１内に設けられるＦＰＤカセッテ２の数は特に限定されない。
また、撮影室Ｒ１は、放射線が外部に漏れないように鉛などでシールドされており、無線通信用の電波も遮断される。このため、撮影室Ｒ１内には、ＦＰＤカセッテ２とコンソール１等の外部装置とが通信する際にこれらの通信を中継する無線アクセスポイント（基地局）５等が設けられている。なお、無線アクセスポイント５とコンソール１との間は有線方式で通信するようになっていてもよいし、例えば通信を中継する無線通信手段をネットワークＮに接続し、これを介して無線方式で通信するようにしてもよい。
【００１８】
本実施形態において適用されるＦＰＤカセッテ２は、図２及び図３に示すように、制御手段２２や画像検出部２３等が筐体２１内に内蔵されたものが用いられる。なお、ＦＰＤカセッテ２の画像検出部２３は、照射された放射線をシンチレータで光に変換してフォトダイオード等の光電変換素子で検出する、いわゆる間接型として構成されたものや、シンチレータを介さずに放射線を検出素子で直接検出する、いわゆる直接型として構成されたものを用いることも可能である。また、図２では、筐体２１がフロント部材２１ａとバック部材２１ｂとで形成されている場合を示したが、この他にも、例えば筐体２１を筒状のモノコック状に形成することも可能である。
【００１９】
ＦＰＤカセッテ２の側面部分には、電源スイッチ２４ａ、インジケータ２４ｃや、筐体２１内に内蔵された図示しないバッテリの交換のために開閉される蓋部材２４ｂが設けられており、蓋部材２４ｂの側面部には、ＦＰＤカセッテ２が無線アクセスポイント５を介して外部と無線で情報の送受信を行うための無線方式の通信手段であるアンテナ装置２５が埋め込まれている。
【００２０】
本実施形態において、アンテナ装置２５は、後述するように、複数の放射線発生装置４のうち１つの放射線発生装置４を撮影に使用するものとして指定する指定信号を放射線発生装置４に対して送信する無線通信手段であり、放射線発生装置４を指定する指定手段として機能する。
【００２１】
インジケータ２４ｃは、例えばＬＥＤ等で構成されバッテリの充電状況や各種の操作状況等を表示するものである。
なお、後述する放射線発生装置４の指定受付手段４１から当該放射線発生装置４の指定を受け付ける旨の信号又は受付を拒否する旨の信号が送信されたときには、例えばインジケータ２４ｃを点滅させたり、点灯させる色を変化させたりすることにその旨を報知させるようにしてもよい。
また、本実施形態では、コンソール１からＦＰＤカセッテ２に対して撮影オーダ情報や、画像データの読出し条件、画像データの送信先を特定する情報が予め送信されるようになっており、コンソールからこのような撮影に必要な情報を受信済みである場合には、インジケータ２４ｃを点灯させる等により、ユーザに報知させるようになっていてもよい。
【００２２】
ＦＰＤカセッテ２の同じ側面部分には、ＦＰＤカセッテ２の制御手段２２（図３参照）に対して、アンテナ装置２５等の通信手段により放射線発生装置４の指定をする指定信号を送信するように指示する指定指示スイッチ２４ｄが設けられている。この指定指示スイッチ２４ｄを押下することにより、ＦＰＤカセッテ２のアンテナ装置２５等から放射線発生装置４に対して、当該放射線発生装置４を撮影に使用するものとして指定する旨の指定信号が送信元のＦＰＤカセッテ２のカセッテＩＤとともに送信される。
また、この指定指示スイッチ２４ｄに隣接して指定を解除する解除指示スイッチ２４ｅが設けられている。指定指示スイッチ２４ｄを押下することにより、一旦放射線発生装置４の指定がなされた後に、この解除指示スイッチ２４ｅが押下されると、ＦＰＤカセッテ２のアンテナ装置２５等から放射線発生装置４に対して、指定を解除する旨の解除信号が送信元のＦＰＤカセッテ２のカセッテＩＤとともに送信され、放射線発生装置４の指定が解除されるようになっている。
【００２３】
また、電源スイッチ２４ａ等が設けられたＦＰＤカセッテ２の側面部分とは反対側の側面部分には、ＦＰＤカセッテ２が後述するブッキー装置３に装填された場合に、ブッキー装置３内の図示しない電極に接続され、ＦＰＤカセッテ２がブッキー装置３を介して外部からの電力の供給を受け、外部との信号のやりとりを行うための有線方式の通信手段である端子２６（図３参照）が設けられている。
【００２４】
図３は、放射線画像検出器の内部の概略構成を示すブロック図である。
ＦＰＤカセッテ２には、マイクロコンピュータ等からなる制御手段２２が設けられており、制御手段２２には、図示しないフォトダイオード（光電変換素子）等の放射線検出素子が２次元状に配置された画像検出部２３や、アンテナ装置２５や端子２６等を介する外部装置とのデータや信号の送受信を制御する通信制御手段２７、ＲＯＭ（Read Only Memory）やＲＡＭ（Random Access Memory）、フラッシュメモリ等からなる記憶手段２８等が接続されている。また、ＦＰＤカセッテ２には、この他、図示しないバッテリ等の部材が内蔵されている。
【００２５】
画像検出部２３では、被写体が撮影されると、１回の放射線画像撮影ごとに、各放射線検出素子から出力される各アナログ信号がそれぞれデジタル信号に変換されて１枚分のデジタルの画像データが生成されるようになっている。そして、生成された画像データは、制御手段２２により、記憶手段２８に撮影順に保存されるようになっている。
【００２６】
このように、記憶手段２８に複数の画像データを保存できるため、ＦＰＤカセッテ２を用いて、被写体に対して連続して放射線を照射し、その度ごとに画像データを記憶手段２８に保存していくことで、連続撮影を行うことができるようになっている。
【００２７】
なお、記憶手段２８に記憶された画像データは、通信制御手段２７の制御により、アンテナ装置２５を介して無線で、或いはＦＰＤカセッテ２がブッキー装置３等に装填されている場合やケーブルが接続されている場合には端子２６を介して有線で、各撮影毎に、或いは、全撮影終了後にコンソール１に送信される。
【００２８】
本実施形態において、ＦＰＤカセッテ２には、撮影前にコンソール１から撮影オーダ情報がコンソール１の識別情報であるコンソールＩＤとともに送信されてくるようになっており、通信制御手段２７は、コンソールＩＤを受信すると、制御手段２２にこのコンソールＩＤの情報を出力する。コンソールＩＤが通信制御手段２７から送られると、制御手段２２は、当該撮影においてＦＰＤカセッテ２により取得された画像データの送信先を、当該コンソールＩＤに対応するコンソール１と特定する。
例えば、本実施形態で、コンソール１ａから撮影オーダ情報及びコンソールＩＤが送信されると、制御手段２２は、このコンソールＩＤに対応するコンソール１ａを画像データの送信先として特定する。そして、撮影により画像データが生成されると、制御手段２２は通信制御手段２７を制御して、当該コンソール１に画像データを送信させる。
【００２９】
なお、ＦＰＤカセッテ２から外部に送信される画像データは、ＲＡＷ画像データでもよいし、ＲＡＷ画像データをから所定の割合で画素（すなわち各放射線検出素子から出力された個々のデジタルデータ）を間引き、データ量が例えばＲＡＷ画像データの１／１６程度となるように減少させた間引き画像データであってもよい。
【００３０】
また、ＦＰＤカセッテ２内には、タグ２９が内蔵されている。本実施形態では、タグ２９として、いわゆるＲＦＩＤ（Radio Frequency Identification）タグが用いられており、タグ２９には、タグ２９の各部を制御する制御回路やＦＰＤカセッテ２の固有情報を記憶する記憶部（いずれも図示せず）がコンパクトに内蔵されている。なお、タグ２９の記憶部に記憶されている固有情報には、例えば当該ＦＰＤカセッテ２に割り当てられた識別情報としてのカセッテＩＤやシンチレータの種類情報、サイズ情報、解像度等が含まれている。また、ＦＰＤカセッテ２に設けられるタグ２９の種類、構成は特に限定されない。
【００３１】
なお、本実施形態では、ＦＰＤカセッテ２は、従来のスクリーン／フィルム用のカセッテにおけるＪＩＳ  Ｚ  ４９０５（対応する国際規格はＩＥＣ  ６０４０６）に準拠する寸法で構成されている。すなわち、放射線入射方向の厚さは１５ｍｍ＋１ｍｍ〜１５ｍｍ−２ｍｍの範囲内に形成され、８インチ×１０インチ、１０インチ×１２インチ、１１インチ×１４インチ、１４インチ×１４インチ、１４インチ×１７インチ（半切サイズ）等のものが用意されている。
【００３２】
また、本実施形態では、このように、ＦＰＤカセッテ２はスクリーン／フィルム用のカセッテに関するＪＩＳ規格に準拠して形成されているため、同様にＪＩＳ規格に準拠して形成されるＣＲカセッテを装填するＣＲカセッテ用のブッキー装置３に装填して用いることができるようになっている。従って、本実施形態では、ＦＰＤカセッテ２だけでなく、ＣＲカセッテを撮影室Ｒ１内に持ち込んで放射線画像撮影を行うことも可能である。
【００３３】
さらに、ＦＰＤカセッテ２は、ブッキー装置３に装填されていない、いわば単独の状態で用いることもできるようになっている。この場合には、例えば、ＦＰＤカセッテ２を撮影室Ｒ１内に設けられた図示しない支持台等に配置し、その放射線入射面Ｘ（図２参照）上に被写体である患者Ｍの手等を載置したり、或いは例えばベッド上に横臥した患者Ｍの腰や足等とベッドとの間に差し込む等により撮影を行う。
この場合、放射線発生装置４としては、ポータブルの放射線発生装置４ｃ、すなわちブッキー装置３に対応付けられていない、いわばフリーな放射線発生装置４ｃが指定される。すなわち、ＦＰＤカセッテ２を放射線発生装置４ｃに向けて指定指示スイッチ２４ｄを押下することにより、この放射線発生装置４ｃに対して指定信号が送信され、これにより、放射線発生装置４ｃが撮影に使用するものとして指定される。
【００３４】
ＦＰＤカセッテ２は、ブッキー装置３に装填されて撮影が行われる場合、或いはケーブルを接続した状態で撮影が行われる場合には、前述した端子２６を通じ、ブッキー装置３を介して外部からの電力の供給を受け、有線方式で信号や画像データの送受信等の外部とのやりとりを行うことができるようになっている。
【００３５】
また、単独の状態でケーブル等を接続することもなく用いられる場合には、ＦＰＤカセッテ２は、内蔵されたバッテリの電力により動作するようになっており、信号や画像データの送受信等の外部装置（コンソール１等）とのやりとりは、ＦＰＤカセッテ２のアンテナ装置２５を介して撮影室Ｒ１内に設けられた無線アクセスポイント５を経由して無線通信で行われるようになっている。
【００３６】
図１に示すように、本実施形態では、各撮影室Ｒ１内に、ブッキー装置３として、臥位撮影用のブッキー装置３ａと立位撮影用のブッキー装置３ｂとがそれぞれ１台ずつ設けられている。また、各ブッキー装置３には、ＦＰＤカセッテ２を所定の位置に保持するためのカセッテ保持部３１がそれぞれ設けられている。
【００３７】
なお、本実施形態においては、ブッキー装置３として、前述のようにＣＲカセッテ用のブッキー装置を用いることができるが、ＦＰＤカセッテ２専用のブッキー装置を用いることも可能である。また、図示を省略するが、ブッキー装置３のカセッテ保持部３１には、ＦＰＤカセッテ２が装填されたことを物理的に検出するマイクロスイッチ等の装填検出装置や、ＦＰＤカセッテ２が正常に装填された場合にＦＰＤカセッテ２の端子２６と接続する電極等が設けられていてもよい。
【００３８】
また、撮影室Ｒ１には、被写体に放射線を照射する放射線源（図示せず）を備える放射線発生装置４が少なくとも１つ設けられており、本実施形態では、臥位撮影用及び立位撮影用のブッキー装置３ａ、３ｂに、放射線発生装置４ａ、４ｂがそれぞれ予め対応付けられて配設されている。また、いずれのブッキー装置３にも対応付けられていないポータブルタイプの放射線発生装置４ｃが１つ配置されている。
【００３９】
放射線発生装置４は、放射線源としてＸ線管球を備えており、Ｘ線管球は高圧電圧が印加されると電圧に応じた線量の放射線を照射するようになっている。臥位撮影用のブッキー装置３ａ及び立位撮影用のブッキー装置３ｂにそれぞれ対応付けられた放射線発生装置４ａ、４ｂは、例えば撮影室Ｒ１の天井からつり下げられて配設されるようになっており、撮影時には操作卓７からの指示に基づいて、図示しない移動手段により所定の位置にまで移動されるようになっている。
【００４０】
放射線発生装置４には、ＦＰＤカセッテ２から指定信号が送信されたときにその信号を受信して指定を受け付ける指定受付手段４１が設けられている。
指定受付手段４１は、例えば図示しないＣＰＵ（Central Processing Unit）、通信部等を備えており、ＦＰＤカセッテ２からの指定信号を受信すると、この信号に含まれる情報（例えば、タグ２９に含まれるカセッテＩＤ等の情報）に基づいて当該指定信号の送信元のＦＰＤカセッテ２を特定する。そして、指定受付手段４１は、当該特定されたＦＰＤカセッテ２によって当該放射線発生装置４が撮影に用いられるものとして指定された旨を通知する指定通知信号を、後述する操作卓７に対して送信する。このように、本実施形態では、放射線発生装置４の指定受付手段４１が指定通知手段として機能する。指定通知信号は、例えば当該放射線発生装置４を指定したＦＰＤカセッテ２の識別情報であるカセッテＩＤを通知するものである。
【００４１】
また、本実施形態において、指定受付手段４１は、一旦あるＦＰＤカセッテ２によって指定がなされると、その後当該ＦＰＤカセッテ２による撮影が終了するか、撮影が中止されるか、当該ＦＰＤカセッテ２の解除指示スイッチ２４ｅの操作により指定を解除する旨の解除信号が送信されるまでは他のＦＰＤカセッテ２による指定の受付を禁止する、指定排除手段として機能する。
すなわち、例えば、一旦あるＦＰＤカセッテ２によって指定がなされた後に、重ねて他のＦＰＤカセッテ２から指定信号が送信された場合には、指定受付手段４１は、後から受信した指定信号の送信元であるＦＰＤカセッテ２に対して指定の受付を拒否する旨の信号を送信するようになっている。
なお、一旦指定がなされてから所定の時間を経過しても撮影が開始されない場合等においては、撮影が中止されたと判断されて自動的に指定が解除され、新たな指定の受け付けが可能な状態になるようにしてもよい。この場合、どの程度の時間が経過したら指定を解除するか等は、予めデフォルトで設定されていてもよいし、操作者等が任意に設定できるようになっていてもよい。また、指定を行ったＦＰＤカセッテ２が撮影室Ｒ１から搬出された場合、入出検知手段６で検出されるので、搬出されて所定の時間が経過した場合にも、撮影が中止されたと判断して自動的に指定を解除するようにしてもよい。
また、ＦＰＤカセッテ２による指定を受け付ける場合にも受け付けた旨の信号をＦＰＤカセッテ２側に返すようにしてもよい。
【００４２】
また、図１に示すように、本実施形態では、各撮影室Ｒ１に隣接してそれぞれ前室Ｒ２（Ｒ２ａ，Ｒ２ｂ）が設けられている。前室Ｒ２には、放射線技師や医師等（以下「操作者」と称する。）が被写体に放射線を照射する放射線発生装置４の制御を行ったり、ブッキー装置３の操作等を行う操作卓７が配置されている。
【００４３】
また、前室Ｒ２の入口の近傍には、ＦＰＤカセッテ２の搬入・搬出を検知する入出検知手段６が設置されている。
本実施形態において、入出検知手段６は、ＦＰＤカセッテ２に内蔵されたタグ（ＲＦＩＤ）２９を読み取るタグリーダである。入出検知手段６は、内蔵する図示しないアンテナを介して電波等に所定の指示情報を乗せて発信し、ＦＰＤカセッテ２に内蔵されているタグ２９を読み取って、前室Ｒ２に搬入或いは搬出されるＦＰＤカセッテ２、すなわち撮影室Ｒ１や前室Ｒ２の所定範囲内に進入したＦＰＤカセッテ２を検出する。そして、ＦＰＤカセッテ２のカセッテＩＤ等の読み取った情報を操作卓７に送信するようになっている。なお、読み取った情報が直接コンソール１に送信されるようになっていてもよい。
なお、撮影室Ｒ１と前室Ｒ２のレイアウトによっては（例えば、前室Ｒ２が各撮影室Ｒ１間で共通の場合）、入出検知手段６は各撮影室Ｒ１の入口近傍に設けることができる。
【００４４】
操作卓７は、図示しないＣＰＵやＲＯＭ、ＲＡＭ、入出力インターフェース等がバスに接続されたコンピュータで構成されており、ＲＯＭに格納される所定のプログラムを読み出してＲＡＭの作業領域に展開してプログラムに従って各種処理を実行するようになっている。
【００４５】
操作卓７には、臥位撮影用および立位撮影用のブッキー装置３ａ、３ｂやそれらに対応付けられた放射線発生装置４ａ、４ｂ、ブッキー装置３に対応付けられていない放射線発生装置４ｃ、入出検知手段６等がそれぞれケーブル等を介して接続されている。
【００４６】
また、操作卓７には、ＣＲＴやＬＣＤ等からなる表示部（図示せず）が設けられており、撮影室Ｒ１で行われる放射線画像撮影の撮影オーダ情報や操作画面が表示されるようになっている。また、操作卓７には、ハードディスク等で構成された図示しない記憶手段や、キーボードやマウス等の図示しない入力手段等が接続されている。
【００４７】
操作卓７は、入出検知手段６からＦＰＤカセッテ２のカセッテＩＤを含む固有情報が送信されてくると、送信されてきたカセッテＩＤのＦＰＤカセッテ２が記憶手段に登録されているか否かを判断する。そして、登録されていなければ当該ＦＰＤカセッテ２を新たに撮影室Ｒ１内等に持ち込まれたものとして記憶手段に登録し、送信されてきたカセッテＩＤが既に記憶手段に登録されていれば当該ＦＰＤカセッテ２が撮影室Ｒ１内等から持ち出されたものとして記憶手段から抹消することにより、撮影室Ｒ１内等に存在するＦＰＤカセッテ２を把握して記憶手段上で管理するようになっている。
【００４８】
また、操作卓７は、上記のようにして撮影室Ｒ１内にＦＰＤカセッテ２が搬入されたと判断するとＦＰＤカセッテ２のカセッテＩＤ等を含む搬入信号をコンソール１に送信し、また、ＦＰＤカセッテ２が撮影室Ｒ１内から搬出されたと判断するとＦＰＤカセッテ２のカセッテＩＤ等を含む搬出信号をコンソール１に送信するようになっている。
【００４９】
なお、本実施形態では、操作卓７は、放射線発生装置４ａ、４ｂを制御する照射制御機能（管球位置、管電圧、管電流、照射野絞り等の撮影条件設定を行う、フィルムやＣＲ時代から継続使用される機能）、及び、ＦＰＤカセッテ２を使用するワークフローを制御する連携制御機能（各種制御情報の通信、画像送信等）の両方の機能を有するように構成されているが、それぞれの制御機能部を、前室Ｒ２内で個別に配置、接続する構成としてもよい。
また、入出検知手段６から、操作卓７を介さずに、無線方式により、又は、有線方式によって、直接コンソール１に対してＦＰＤカセッテ２のカセッテＩＤを含む固有情報を含む搬入信号・搬出信号を送信するように構成することも可能である。
【００５０】
コンソール１は、それぞれ図示しないＣＰＵやＲＯＭ、ＲＡＭ、入出力インターフェース等がバスに接続されたコンピュータで構成されている。コンソール１には、ＣＲＴやＬＣＤ等からなる図示しない表示部が設けられており、また、ハードディスク等で構成された図示しない記憶手段や、キーボードやマウス等の図示しない入力手段等が接続されている。本実施形態において、各コンソール１には、固有の識別標識としてコンソールＩＤが付与されている。
【００５１】
コンソール１は、ＨＩＳ／ＲＩＳ８から撮影オーダ情報のリストを入手し、撮影に使用するＦＰＤカセッテ２を指定して、指定したＦＰＤカセッテ２に対して自らのコンソールＩＤとともに撮影オーダ情報を送信する。
前述のように、ＦＰＤカセッテ２ではコンソールＩＤを受信すると、当該コンソール１を画像データの送信先と特定するため、当該撮影後、画像データはＦＰＤカセッテ２から当該コンソールＩＤに対応するコンソール１に送信される。
【００５２】
また、ＦＰＤカセッテ２により放射線発生装置４が指定されると、いずれの放射線発生装置４が指定されたかの情報が操作卓７を経由してコンソール１に送信される。
コンソール１はこの情報に基づいて、当該指定された放射線発生装置４を、起動させ、放射線の曝射制御を行うための制御信号を操作卓７に送信する。操作卓７がこの制御信号を受けて放射線発生装置４を制御することにより、放射線発生装置４の起動及び放射線の曝射が行われる。
なお、操作卓７を操作することによりコンソール１を介さずに当該撮影室Ｒ１で放射線画像撮影を行う予定の１つ或いは複数の撮影オーダ情報をＨＩＳ／ＲＩＳ８から直接入手できるように構成することも可能である。
【００５３】
また、コンソール１は、ＦＰＤカセッテ２から画像データが送信されると、当該画像データについて撮影部位に応じた階調補正等、所定の画像補正を行い、診断用の画像の画像データを生成する。生成された診断用の画像の画像データは適宜後述するＰＡＣＳサーバ９等に送信される。
【００５４】
また、コンソール１は、ネットワークＮに接続されており、ネットワークＮに接続された外部装置との間で情報の送受信が可能となっている。
本実施形態において、ネットワークＮを介してコンソール３と接続される外部装置としては、ＨＩＳ／ＲＩＳ８、ＰＡＣＳサーバ９、イメージャ１０等があるが、ネットワークＮに接続される外部装置はここに例示したものに限定されない。
【００５５】
ＨＩＳ／ＲＩＳ８は、撮影に関する被写体の撮影オーダ情報をコンソール３に提供する。撮影オーダ情報は、例えば検査対象を提供する患者の氏名等の患者情報や、撮影部位、撮影方法、撮影に使用する撮影台（立位か臥位か等）の種類等の撮影予約に関する情報等を含んでいる。なお、撮影オーダ情報はここに例示したものに限定されず、これ以外の情報を含んでいてもよいし、上記に例示した情報のうちの一部でもよい。
【００５６】
ＰＡＣＳサーバ９は、コンソール３から出力された画像データを保存するものである。
また、イメージャ１０は、コンソール３から出力された画像データに基づいて放射線画像をフィルムなどの画像記録媒体に記録し、出力するものである。
【００５７】
次に、図４及び図５を参照しつつ、本実施形態における放射線画像撮影システム１００の作用について説明する。
【００５８】
まず、図４に示すように、コンソール１はＨＩＳ／ＲＩＳ８から撮影オーダ情報を取得し（ステップＳ１）、技師等は撮影オーダ情報に基づいて撮影に使用するＦＰＤカセッテ２を決定（選択）する（ステップＳ２）。ＦＰＤカセッテ２の決定は、例えばコンソール１に設けられているタッチパネル（図示せず）等において行われるが、ＦＰＤカセッテ２を決定する手法は特に限定されない。例えばコンソール１にバーコードを読み取るバーコードリーダを備え、操作者が、撮影に使用したいＦＰＤカセッテ２のバーコードをバーコードリーダに読み取らせることによりＦＰＤカセッテ２を決定してもよい。
撮影に使用するＦＰＤカセッテ２が決定されると、コンソール１は当該ＦＰＤカセッテ２に対してコンソールＩＤと撮影オーダ情報とを送信する（ステップＳ３）。コンソール１からコンソールＩＤ及び撮影オーダ情報を受信すると（ステップＳ４）、ＦＰＤカセッテ２は、省エネのためのスリープ状態から起動し（ステップＳ５）、撮影可能状態へと遷移する。そして、技師等が撮影室内に移動し、選択したＦＰＤカセッテ２をいずれかの放射線発生装置４に向けた状態で指定指示スイッチ２４ｄが押下されると、当該放射線発生装置４を撮影に使用するものとして指定する指定信号がＦＰＤカセッテ２のアンテナ装置２５等から放射線発生装置４に対して送信され（ステップＳ６）、この指定信号が放射線発生装置４の指定受付手段４１において受信される（ステップＳ７）。
【００５９】
指定信号を受けた指定受付手段４１は、当該放射線発生装置４について、すでに他のＦＰＤカセッテ２による指定がなされているか否かを判断し（ステップＳ８）、指定がされている場合（ステップＳ８：ＹＥＳ）には、後から行われた指定を拒否する信号をＦＰＤカセッテ２に対して送信し（ステップＳ９）、ＦＰＤカセッテ２は当該信号を受信する（ステップＳ１０）。ＦＰＤカセッテ２の制御手段２２は、指定が拒否されたか否か（すなわち、指定を拒否する信号を受信したか否か）を判断し（ステップＳ１１）、指定が拒否された場合（ステップＳ１１：ＹＥＳ）は、当該放射線発生装置４を用いた撮影処理を終了（中止）する。なお、指定を拒否する信号が送られた場合には、ＦＰＤカセッテ２のインジケータ２４ｃにおいてエラー表示（インジケータ２４ｃの点滅、点灯色の変化等）等がされるようにしてもよい。
他方、まだ他のＦＰＤカセッテ２から指定を受けておらず、当該ＦＰＤカセッテ２からの指定を受け付ける場合（ステップＳ８：ＮＯ）には、指定受付手段４１は、当該放射線発生装置４が撮影に用いられるものとして指定されたこと及び指定したＦＰＤカセッテ２のカセッテＩＤ等を操作卓７に通知する指定通知信号を送信する（ステップＳ１２）。なお、この場合、指定受付手段４１からＦＰＤカセッテ２に対して指定を受け付けた旨の信号を送信してもよい。
【００６０】
操作卓７は、指定受付手段４１から指定通知信号を受信すると（ステップＳ１３）、撮影に使用するものとしてＦＰＤカセッテ２により指定された放射線発生装置４を通知する信号を、コンソール１に対して送信する（ステップＳ１４）。コンソール１は、操作卓７から信号を受信すると（ステップＳ１５）、操作卓７から通知された放射線発生装置４について、放射線の曝射準備に入るための制御信号を操作卓７に送信する（ステップＳ１６）。操作卓７は、コンソール１から信号を受信すると（ステップＳ１７）、この制御信号に基づいて放射線発生装置４を対応するブッキー装置３の位置に合わせて移動させる等、放射線発生装置４の位置や角度を適宜調整して、所定の線量で放射線を曝射するよう指示する信号を送信する（ステップＳ１８）。
このとき、操作卓７からＦＰＤカセッテ２に対して放射線の照射が開始される旨の信号（トリガ信号）が送信されるようにしてもよい。これにより、ＦＰＤカセッテ２においてリセット等が行われ、画像信号の読み取り可能な状態となる。なお、ＦＰＤカセッテ２が放射線の照射を自ら検知して画像信号の読み取り可能な状態に自動遷移するように構成されている場合には、操作卓７からＦＰＤカセッテ２に対するトリガ信号の送信は不要である。
放射線発生装置４は、操作卓７からの指示信号を受信すると（ステップＳ１９）、この指示信号に基づいて所定量の放射線を照射する（ステップＳ２０）。
【００６１】
撮影が終了すると、ＦＰＤカセッテ２は、画像データを生成し（ステップＳ２１）、コンソールＩＤにより特定されるコンソール１に画像データを送信する（ステップＳ２２）。コンソール１は、ＦＰＤカセッテ２から画像データを受信すると（ステップＳ２３）、当該画像データに所定の画像処理を行い、診断用の画像の画像データを生成する（ステップＳ２４）。
【００６２】
なお、一旦ＦＰＤカセッテ２による指定がなされた場合でも、当該ＦＰＤカセッテ２から解除信号が送信されると、当該指定が解除される。
また、例えば予め閾値として規定されている所定の時間内に撮影が開始されない場合や、放射線発生装置４を指定したＦＰＤカセッテ２が、当該撮影室Ｒ１から搬出され、一定時間以上戻ってこないような場合には、指定が自動的に解除されるようにしてもよい。
【００６３】
例えば、ＦＰＤカセッテ２によって撮影に使用する放射線発生装置４として撮影室Ｒ１ａ内の立位撮影用のブッキー装置３ｂに対応する放射線発生装置４ｂが指定されたが、当該放射線発生装置４ｂが故障等により適切に動作しない場合や、放射線発生装置４ｂに対応付けられているブッキー装置３ｂが適切に動作しない場合、立位撮影用のブッキー装置３ｂで撮影しようとしたが、臥位撮影用のブッキー装置３ａに変更したい場合等には、一旦当該放射線発生装置４に対する指定を解除して、別の放射線発生装置４を指定することができる。
この場合、ＦＰＤカセッテ２から放射線発生装置４ｂに対して指定解除信号を送信し、指定を解除した後、改めて撮影に使用したい放射線発生装置４（例えば撮影室Ｒ１ａ内の臥位撮影用のブッキー装置３ａに対応する放射線発生装置４ａ）に対して指定信号を送信する。これにより放射線発生装置４ａが撮影に使用する放射線発生装置４として指定される。なお、指定の解除、再指定が行われたときは、放射線発生装置４ｂの指定受付手段４１は、操作卓７に対して指定が解除された旨の信号を送信し、放射線発生装置４ａの指定受付手段４１は、操作卓７に対して指定通知信号を送信する。
【００６４】
また、例えば一旦撮影室Ｒ１ａに設置されている放射線発生装置４ａを撮影に使用するものとして指定したが、適切に動作しない等のために、他の撮影室Ｒ１ｂに配置されている放射線発生装置４ａに変更したい場合もある。
このような場合、ＦＰＤカセッテ２が撮影室Ｒ１ａから搬出されると、撮影室Ｒ１ａの入出検知手段６によってＦＰＤカセッテ２の搬出が検出され、搬出信号が操作卓７を介してコンソール１に送信される。これにより、撮影室Ｒ１ａの放射線発生装置４ａに対する指定が自動的に解除される。次にＦＰＤカセッテ２が別の撮影室Ｒ１ｂに搬入されると、撮影室Ｒ１ｂの入出検知手段６によってＦＰＤカセッテ２の搬入が検出され、搬入信号が操作卓７を介してコンソール１に送信される。
そして、ＦＰＤカセッテ２が改めて当該撮影室Ｒ１ｂ内のある放射線発生装置４（例えば放射線発生装置４ａ）を指定すると、指定受付信号がＦＰＤカセッテ２のカセッテＩＤ等とともに操作卓７に送信され、当該放射線発生装置４ａが当該カセッテＩＤを有するＦＰＤカセッテ２によって指定されたことが操作卓７に通知される。さらに、操作卓７からコンソール１に当該放射線発生装置４ａの指定が通知され、当該放射線発生装置４ａを使用した撮影が行われる。
【００６５】
以上のように、本実施形態によれば、撮影に使用する放射線発生装置４をコンソール１で予め指定するのではなく、撮影室Ｒ１内でＦＰＤカセッテ２により指定することができる。このため、例えば撮影に使用する予定であった放射線発生装置４が故障等により使用できない場合等でも、コンソール１まで戻って選択・設定をやり直す必要がなく、作業の効率を向上させることができる。
また、放射線発生装置４の指定をＦＰＤカセッテ２によって行うことができるため、撮影を行う撮影室Ｒ１を移動した場合でも、簡易に放射線発生装置４の指定を行うことができる。
さらに、ＦＰＤカセッテ２を撮影に使用したい放射線発生装置４に向けて指定指示スイッチ２４ｄを押下するという簡易な手法により撮影に使用する放射線発生装置４を指定することができるので、操作者に負担をかけることなく放射線発生装置４の選択・設定を行うことができる。
【００６６】
また、ＦＰＤカセッテ２によって、一旦放射線発生装置４が指定されると、指定の解除等が行われるまでは、他のＦＰＤカセッテ２による指定を行うことが禁止される。これにより、誤ったＦＰＤカセッテ２による誤撮影が行われることを防止することができる。
【００６７】
なお、本実施形態では、コンソール１からＦＰＤカセッテ２に対して予め撮影オーダ情報及びコンソールＩＤ等が送信され、ＦＰＤカセッテ２が、このコンソールＩＤに基づいて撮影により得られた画像データの送信先を特定するように構成したが、画像データの送信先を特定する手法はこれに限定されない。
例えば、撮影回数の少ない施設で使用される場合や、コンソール１が１つしか設けられていない施設で使用される場合であれば、事前の登録を行わずに撮影を行い、撮影によって取得された画像データにＦＰＤカセッテ２のカセッテＩＤや操作者の識別情報である操作者ＩＤ等を付帯させてコンソール１に送信する。そして、コンソール１では、これらの識別情報に基づいて、画像データと患者情報等とを対応付けるようにしてもよい。
【００６８】
また、本実施形態では、撮影後に画像データがＦＰＤカセッテ２からコンソール１に送信されるようにしたが、画像データの送信先はこれに限定されず、例えば画像データをＦＰＤカセッテ２のカセッテＩＤ等と対応付けて画像データを蓄積する画像データサーバ等に送信し、ここに蓄積された画像データを、コンソール１がカセッテＩＤに基づいて抽出し、撮影オーダ情報等と対応付けるようにしてもよい。
【００６９】
また、本実施形態においては、指定指示スイッチ２４ｄを押下すると、指定手段としてのアンテナ装置２５から指定信号が送信されるように構成したが、指定手段はこれに限定されない。例えば、放射線発生装置４にＦＰＤカセッテ２のタグ２９を読み取るタグリーダを設けて、ＦＰＤカセッテ２を放射線発生装置４のタグリーダに所定の距離まで近づけられると、タグ２９から送信された情報がタグリーダによって読み取られるようにしてもよい。そして、この場合には、当該タグ２９を読み取ったタグリーダを備える放射線発生装置４が当該タグ２９の情報によって特定されるＦＰＤカセッテ２によって、撮影に使用するものとして指定される。この場合、タグ２９が、複数の放射線発生装置４のうち撮影に使用するものを指定する指定手段として機能する。
このように、ＦＰＤカセッテ２を任意の放射線発生装置４に接近させることで、タグリーダが自動的にタグ２９からＦＰＤカセッテ２の情報を読み取り、撮影に使用する放射線発生装置４としての指定がなされる構成とすれば、操作者における設定の手間等を省いて、より簡易に放射線発生装置４の指定を行うことができる。
また、ＦＰＤカセッテ２にカセッテＩＤ等の情報が含まれるバーコードを設けるとともに、放射線発生装置４に、このバーコードを読み取るバーコードリーダを設けて、放射線発生装置４のバーコードリーダにＦＰＤカセッテ２のバーコードを接近させることによりバーコードが読み取られると、放射線発生装置４が当該ＦＰＤカセッテ２による撮影に使用されるものとして指定されることとしてもよい。
【００７０】
なお、本実施形態では、指定受付手段４１が、他のＦＰＤカセッテ２による指定の受付を禁止する指定排除手段として機能する場合を例として説明したが、指定排除手段は指定受付手段４１に限定されない。
例えば、操作卓７において、一旦あるＦＰＤカセッテ２によって指定がなされた旨の指定通知信号を指定受付手段４１から受信した後は、当該ＦＰＤカセッテ２による撮影が終了するか、中止されるか、指定が解除されるまでは、重ねて他のＦＰＤカセッテ２による指定がなされた旨の指定通知信号が送信されても、後から送信された指定通知信号を無効とする信号を指定受付手段４１に対して送信する等により操作卓７を指定排除手段として機能させてもよい。この場合、操作卓７においてエラー表示等を行うことにより、操作者に重複指定である旨の警告を行うようにしてもよい。
また、コンソール１が操作卓７から放射線発生装置４が指定されたことを通知された場合には、その後他のＦＰＤカセッテ２による指定があったとの通知があっても、コンソール１の制御部において、当該ＦＰＤカセッテ２による撮影に使用する放射線発生装置４を変更しないようにしてもよい。この場合には、コンソール１の制御部が指定排除手段として機能する。
【００７１】
また、本実施形態では、放射線発生装置４が、操作卓７からの制御信号により起動し、撮影準備に入る場合を例として説明したが、放射線発生装置４の起動及び撮影準備のタイミングはこれに限定されず、ＦＰＤカセッテ２からの指定信号を受信した時点で起動し、撮影準備に入るとしてもよい。
【００７２】
また、本実施形態においては、前室Ｒ２に操作卓７を備え、これとは別個に放射線画像撮影システム１００全体の制御を行うコンソール１が設けられる構成としたが、各前室Ｒ２に操作卓７に代えてコンソール１を備える構成としてもよい。この場合、コンソール１は、放射線画像撮影システム１００全体の制御を行うとともに、放射線発生装置４の制御や、ブッキー装置３の操作等も適宜行う。また、従来から使用されている放射線発生装置４の照射制御機能のみを操作卓７に残し、他を全てコンソール１が制御する構成としてもよい。
【００７３】
また、本実施形態においては、撮影オーダ情報は、コンソール１が、ＨＩＳ／ＲＩＳ８等に予め登録されているものをネットワークＮを介して取得することとしたが、撮影オーダ情報の取得手法はこれに限定されず、例えば、撮影オーダ情報をコンソール１の記憶部に予め保存しておいてもよい。また、撮影オーダ情報は、必ずしも放射線画撮影前に作成されている必要はなく、放射線画像撮影後に、取得された画像データと対応付けるようにして撮影オーダ情報を作成するように構成することも可能である。
【００７４】
その他、本発明が本実施の形態に限定されず、適宜変更可能であることはいうまでもない。
【００７５】
［第２の実施形態］
次に、図６から図８を参照しつつ、本発明に係る放射線画像撮影システムの第２の実施形態について説明する。なお、第２の実施形態は、放射線発生装置を指定する手法が第１の実施形態と異なるものであるため、以下においては、特に第１の実施形態と異なる部分について説明する。
【００７６】
図６に示すように、本実施形態において、放射線画像撮影システム２００は、第１の実施形態と同様に、２つの撮影室Ｒ１ａ，Ｒ１ｂに複数のブッキー装置３ａ，３ｂ、放射線発生装置４ａ，４ｂ、を備えている。本実施形態においては、放射線発生装置４ａ，４ｂはそれぞれいずれかのブッキー装置３ａ，３ｂと対応している。
また、撮影室Ｒ１ａ，Ｒ１ｂには、ＦＰＤカセッテ２が設けられている。図示は省略するが、ＦＰＤカセッテ２には、第１の実施形態と同様のタグ（ＲＦＩＤ）が内蔵されている。
【００７７】
ブッキー装置３には、ＦＰＤカセッテ２が装填されると、当該ＦＰＤカセッテ２のタグを読み取って、カセッテＩＤ等の情報を取得するタグリーダ３５と指定受付手段３６とが設けられている。
指定受付手段３６には、タグリーダ３５によって読み取られた情報が出力されるようになっており、指定受付手段３６は、ＦＰＤカセッテ２のタグから読み取られた情報がタグリーダ３５から送られると、当該ブッキー装置３及びこれに対応する放射線発生装置４が撮影に使用するものとして指定されたものと判断する。そして、指定受付手段３６は、指定通知手段として、当該指定されたブッキー装置３及び放射線発生装置４を操作卓７に対して通知する指定通知信号を送信する。
このように、本実施形態では、ＦＰＤカセッテ２に内蔵されたタグが、ブッキー装置３及びこのブッキー装置３に対応付けられた放射線発生装置４を撮影に用いることを指定する指定手段として機能する。
【００７８】
なお、その他の構成は、第１の実施形態で説明したものと同様であることから、その説明を省略する。
【００７９】
次に、図７及び図８を参照しつつ、本実施形態における放射線画像撮影システム２００の作用について説明する。
【００８０】
まず、第１の実施形態と同様に、コンソール１はＨＩＳ／ＲＩＳ８から撮影オーダ情報を取得し（ステップＳ３１）、これに応じて撮影に使用するＦＰＤカセッテ２を決定し（ステップＳ３２）、当該ＦＰＤカセッテ２にコンソールＩＤと撮影オーダ情報とを送信する（ステップＳ３３）。コンソール１からコンソールＩＤと撮影オーダ情報とを受信すると（ステップＳ３４）、ＦＰＤカセッテ２は、起動し（ステップＳ３５）、撮影可能状態へと遷移する。
そして、ＦＰＤカセッテ２をいずれかのブッキー装置３に装填することにより（ステップＳ３６）、ブッキー装置３に設けられたタグリーダ３５によりＦＰＤカセッテ２のタグが読み取られ（ステップＳ３７）、タグリーダ３５によって読み取られたタグの情報は指定受付手段３６に送られる（ステップＳ３８）。
【００８１】
指定受付手段３６は、同一撮影室内にある他のブッキー装置３及びこれに対応する放射線発生装置４について、すでに他のＦＰＤカセッテ２による指定がなされているか否かを判断する（ステップＳ３９）。これは、例えば、立位撮影用のブッキー装置３ｂの使用による放射線影響により、臥位撮影用のブッキー装置３ａに装填されるＦＰＤカセッテ２にゴースト像（アーチファクト像）を生成しないようにする為である。
指定がされている場合（ステップＳ３９：ＹＥＳ）には、後から行われた指定を拒否する信号をＦＰＤカセッテ２に対して送信し（ステップＳ４０）、ＦＰＤカセッテ２は当該信号を受信する（ステップＳ４１）。ＦＰＤカセッテ２の制御手段２２は、指定が拒否されたか否か（すなわち、指定を拒否する信号を受信したか否か）を判断し（ステップＳ４２）、指定が拒否された場合（ステップＳ４２：ＹＥＳ）は、当該ブッキー装置３及び放射線発生装置４を用いた撮影処理を終了（中止）する。
他方、まだ他のＦＰＤカセッテ２から指定を受けておらず、当該ＦＰＤカセッテ２からの指定を受け付ける場合（ステップＳ３９：ＮＯ）には、ブッキー装置３の指定受付手段３６は、当該放射線発生装置４が撮影に用いられるものとして指定されたこと及び指定したＦＰＤカセッテ２のカセッテＩＤ等を操作卓７に通知する指定通知信号を送信する（ステップＳ４３）。
【００８２】
操作卓７は、指定受付手段３６から指定通知信号を受信すると（ステップＳ４４）、撮影に使用するものとしてＦＰＤカセッテ２により指定されたブッキー装置３及びこれに対応する放射線発生装置４を通知する信号を、コンソール１に対して送信する（ステップＳ４５）。コンソール１は、操作卓７から信号を受信すると（ステップＳ４６）、操作卓７から通知された放射線発生装置４について、放射線の曝射準備に入るための制御信号を操作卓７に送信する（ステップＳ４７）。操作卓７は、コンソール１から信号を受信すると（ステップＳ４８）、この制御信号に基づいて放射線発生装置４を対応するブッキー装置３の位置に合わせて移動させる等、放射線発生装置４の位置や角度を適宜調整して、所定の線量で放射線を曝射するよう指示する信号を送信する（ステップＳ４９）。そして、放射線発生装置４は、操作卓７からの指示信号を受信すると（ステップＳ５０）、この指示信号に基づいて所定量の放射線を照射する（ステップＳ５１）。
なお、以降の処理（ステップＳ５２からステップＳ５５）は、第１の実施形態における図５のステップＳ２１からステップＳ２４と同様であるため、説明を省略する。
【００８３】
以上のように、本実施形態によれば、撮影に使用する放射線発生装置４をコンソール１で指定するのではなく、ＦＰＤカセッテ２により指定することができる。このため、例えば撮影に使用する予定であった放射線発生装置４が故障等により使用できない場合でも、コンソール１まで戻って選択・設定をやり直す必要がなく、作業の効率を向上させることができる。
また、ＦＰＤカセッテ２をブッキー装置３に装填するだけで放射線発生装置４の指定を行うことができるため、操作者の手間を省いて効率よく撮影動作を行うことができる。
【００８４】
なお、本実施形態においては、ＦＰＤカセッテ２に内蔵されたタグが、撮影に使用するブッキー装置３及び放射線発生装置４を指定する指定手段として機能するようにしたが、指定手段はこれに限定されない。
例えば、ＦＰＤカセッテ２にカセッテＩＤ等の情報が含まれるバーコードを設けるとともに、ブッキー装置３に、このバーコードを読み取るバーコードリーダを設けて、ブッキー装置３のバーコードリーダにＦＰＤカセッテ２のバーコードを接近させることによりバーコードが読み取られると、当該ブッキー装置３及びこれに対応する放射線発生装置４が当該ＦＰＤカセッテ２による撮影に使用されるものとして指定されることとしてもよい。
【００８５】
なお、その他、本発明が実施形態の範囲に限定されないことは第１の実施形態と同様である。
【図面の簡単な説明】
【００８６】
【図１】本発明に係る放射線画像撮影システムの第１の実施形態のシステム構成を示す図である。
【図２】図１の放射線画像撮影システムに適用されるＦＰＤカセッテを示す斜視図である。
【図３】図２に示すＦＰＤカセッテの機能的構成を示す要部ブロック図である。
【図４】第１の実施形態における放射線画像撮影システムの動作を示すフローチャートである。
【図５】第１の実施形態における放射線画像撮影システムの動作を示すフローチャートである。
【図６】本発明に係る放射線画像撮影システムの第２の実施形態のシステム構成を示す図である。
【図７】第２の実施形態における放射線画像撮影システムの動作を示すフローチャートである。
【図８】第２の実施形態における放射線画像撮影システムの動作を示すフローチャートである。
【符号の説明】
【００８７】
１  コンソール
２  ＦＰＤカセッテ（放射線画像検出器）
３  ブッキー装置
４  放射線発生装置
６  入出検知手段
７  操作卓（発生装置制御手段）
２２  制御手段
２４ｃ  インジケータ
２４ｄ  指定指示スイッチ
２４ｅ  解除指示スイッチ
２５  アンテナ装置
２６  端子
２７  通信制御手段
２８  記憶手段
２９  タグ
３１  カセッテ保持部
３５  タグリーダ
３６  指定受付手段
４１  指定受付手段
１００  放射線画像撮影システム
Ｎ  ネットワーク
Ｒ１ａ，Ｒ１ｂ  撮影室
Ｒ２ａ，Ｒ２ｂ  前室
【図１】
2011206068.tif 000003
【図２】
2011206068.tif 000004
【図３】
2011206068.tif 000005
【図４】
2011206068.tif 000006
【図５】
2011206068.tif 000007
【図６】
2011206068.tif 000008
【図７】
2011206068.tif 000009
【図８】
2011206068.tif 000010